(57)【特許請求の範囲】
【請求項１】
隣り合う遊技機の間に取付け可能な板状の分煙ボードと、
前記分煙ボードの上部に、周辺の空気を吸い込んで所定の方向に排出可能な吸気部と、
を備え、
前記分煙ボードは、
周辺の空気を吸い込むための第１貫通孔が形成された第１分煙ボードと、
周辺の空気を吸い込むための第２貫通孔が形成され、前記第１分煙ボードに対して所定の間隔を空けて設けられた第２分煙ボードと、
を備え、
前記第１分煙ボード及び前記第２分煙ボードにより所定の空間が形成され、
前記所定の空間は、
前記第１貫通孔及び前記第２貫通孔から吸い込まれた空気を取り込むことが可能であり、
前記吸気部は、
前記所定の空間内の空気を吸い込んで上方に向けて排出可能である
ことを特徴とする遊技場用分煙装置。
【請求項２】
前記分煙ボードは、
前記第１分煙ボードと前記第２分煙ボードとの間に、第３分煙ボードを備え、
前記吸気部は、
前記第１分煙ボードと前記第３分煙ボードとの間に形成されている空間内の空気と、前記第２分煙ボードと前記第３分煙ボードとの間に形成されている空間内の空気と、を吸い込んで上方に向けて排出可能であり、
前記第３分煙ボードは、
周辺の空気を吸い込むための貫通孔が形成されていない
ことを特徴とする請求項１記載の遊技場用分煙装置。
【請求項３】
前記第１貫通孔は、
前記第１分煙ボードにおいて、前記第２貫通孔とは重ならない位置に形成されている
ことを特徴とする請求項１記載の遊技場用分煙装置。
【請求項４】
前記分煙ボード対して光を照射可能な発光手段を備え、
前記発光手段は、
遊技機の遊技状態に応じて発光可能である
ことを特徴とする請求項１〜３の何れか一項に記載の遊技場用分煙装置。
【発明の詳細な説明】
【技術分野】
【０００１】
本発明は、遊技場に設置される遊技場用分煙装置に関する。
【背景技術】
【０００２】
パチンコ機やスロットマシン等の遊技機が設置された遊技場においては、遊技者は喫煙をしながら遊技を行うことがあり、タバコの煙が広がって周囲の遊技者の迷惑になることがある。
このような遊技場の喫煙問題については、例えば、隣接する遊技機と遊技機との間を仕切るパーテーションを設置する分煙対策が知られている（例えば、特許文献１参照）。
このような分煙対策によれば、遊技者が喫煙するタバコの煙が隣の遊技者に及びにくくなるため、上記喫煙問題の解消に一定の効果が期待できる。
【先行技術文献】
【特許文献】
【０００３】
【特許文献１】特開２０１４−４２８５号公報
【発明の概要】
【発明が解決しようとする課題】
【０００４】
しかしながら、単に遊技機と遊技機の間をパーテーションで仕切る従来の分煙対策には改善の余地があった。
【課題を解決するための手段】
【０００５】
上記目的を達成するため、本発明の遊技場用分煙装置は、隣り合う遊技機の間に取付けられた板状の分煙ボードと、分煙ボードの上部に、周辺の空気を吸い込んで所定の方向に排出する吸気部と、を設けた構成としてある。
【図面の簡単な説明】
【０００６】
【図１】本発明の第一実施形態に係る分煙装置が設けられた遊技場の様子を示す図である。
【図２】本発明の第一実施形態に係る分煙装置の構成図である。
【図３】本発明の第一実施形態に係る吸気部の分解図及び取付図である。
【図４】本発明の第二実施形態に係る分煙装置が設けられた遊技場の様子を示す図である。
【図５】本発明の第二実施形態に係る分煙装置の構成図である。
【図６】本発明の第二実施形態に係る送風部の分解図及び取付図である。
【図７】本発明の第三実施形態に係る分煙装置が設けられた遊技場の様子を示す図である。
【図８】本発明の第三実施形態に係る遊技場用分煙装置の構成図である。
【図９】本発明の第三実施形態に係る吸気部と送風部の分解図及び取付図である。
【図１０】本発明の第四実施形態に係る分煙装置が設けられた遊技場の様子を示す図である。
【図１１】本発明の第四実施形態に係る分煙装置の構成図である。
【図１２】本発明の第四実施形態に係る吸気部の取付図である。
【図１３】本発明の第五実施形態に係る分煙装置が設けられた遊技場の様子を示す図である。
【図１４】本発明の第五実施形態に係る分煙装置の構成図である。
【図１５】本発明の第五実施形態に係る吸気部の取付図である。
【図１６】板材の形状が異なる分煙ボードに取り付けるアタッチメントの説明図である。
【図１７】分煙装置に係る様々な実施態様を示す図である。
【発明を実施するための形態】
【０００７】
以下、本発明に係る遊技場用分煙装置の好ましい実施形態について、各図を参照して説明する。
【０００８】
［第一実施形態］
まず、本発明の第一実施形態に係る遊技場用分煙装置（以下、分煙装置という。）について、図１〜図３を参照して説明する。
これらの図に示すように、本実施形態の分煙装置は、隣り合う遊技機１００の間に取付けた分煙ボード３と、この分煙ボード３の上部に、周辺の空気を吸い込んで所定の方向に排出する吸気部１と、を設けている。
【０００９】
分煙ボード３は、図１，図２に示すように、アクリルなどのプラスチックやガラス等の１枚の矩形状の板材からなり、隣り合う遊技機１００を仕切るパーテーションとして、ボード取付部１１０に取り付けられている。
分煙ボード３を遊技機１００と遊技機１００の間に取り付けることで、遊技機１００ごとに独立した遊技空間が形成され、遊技者が遊技中に喫煙しているタバコの煙を、その遊技者の遊技空間内に滞留させることができる。
これにより、遊技者のタバコの煙が、少なくとも、隣接する遊技機１００の遊技空間に流れることを防ぐことができる。
なお、「タバコの煙」には、遊技者が吐き出す呼出煙やタバコの点火部から発生する副流煙が含まれる。
【００１０】
吸気部１は、周辺の空気を吸い込んで所定方向に排出する吸排気手段であり、分煙ボード３の上部に設けられている（図１〜図３参照）。
吸気部１は、具体的には、軸方向に沿って気流を発生させる軸流ファン５０と、軸流ファン５０を回転駆動させる図示しないモーター（駆動機構）を備えている。
例えば、所定の駆動電流に基づいてモーターを駆動させると、図示しない駆動軸が一定方向に回動し、この駆動軸に取り付けられている軸流ファン５０が駆動軸を中心に一定方向に回転する。
この軸流ファン５０の回転によって、軸方向の一方（以下、後方とする。）から空気が吸い込まれ、吸い込まれた空気が軸方向の他方（以下、前方とする。）に向かって流れる気流が発生する。
なお、本実施形態の吸気部１は、軸流ファン５０とモーターとが一体となったファンモーターを用いている（図３参照）。
【００１１】
吸気部１は、図３に示すように、筒状のケース２０の内部に上記駆動機構等が収められており、具体的には、駆動軸の後方が下方を向くようにして（すなわち、駆動軸の前方が上方を向くようにして）、軸流ファン５０が取り付けられている。
これにより、軸流ファン５０の回転によって、軸流ファン５０の下方から空気が吸い込まれ、軸流ファン５０の上方に排出される。
なお、本実施形態の吸気部１は、３基のファンモーターを備えているが、１基あるいは２基、又は４基以上を備える構成であってもよい。
【００１２】
ケース２０は、プラスチックなどの樹脂によって形成された半筒状のケース上部２１及びケース下部２２と、半球状のケース端部２３とが組み合わされて構成される。具体的には、ケース上部２１とケース下部２２を上下に重ね合わせ、これにより形成された中空円筒の筐体の一方（遊技者側）の端部開口をケース端部２３により塞ぐことで、ケース２０を組み立てることができる。また、組み立てられた状態のケース２０を、ケース上部２１、ケース下部２２及びケース端部２３に分解することもできる（図３参照）。
ケース上部２１は、曲面が上側を向く態様で用いられ、当該曲面の弧に沿って帯状に開口された排気口５が長手方向に亘り複数施されている。
ケース下部２２は、曲面が下側を向く態様で用いられ、当該曲面の中心部を逆凹状に凹ませたレール部３０が設けられている。
【００１３】
レール部３０は、レール幅を分煙ボード３の厚みとほぼ同じサイズにしており、これによって、ケース２０を分煙ボード３の上部に嵌合させて取り付けることができるようにしている。
ケース下部２２には、レール部３０の両側に、曲面の弧に沿って帯状に開口された吸気口４が長手方向に亘り複数設けられている。
ケース２０は、ケース下部２２を図示しないネジなどの固定手段によりボード取付部１１０に固定することができ、また、ケース下部２２のレール部３０と分煙ボード３とを嵌合させた状態で上記固定手段により固定することができる。
また、図示は省略するが、レール部３０のレール幅を一定の範囲で可変可能としつつ、分煙ボード３を嵌合させた状態で、バネなどの付勢力によって分煙ボード３を保持する固定手段を用いることもできる。
このようにすると、ケース２０を、ネジなどを用いずに、分煙ボード３にそのまま固定することができる。
吸気部１は、このようにケース２０を固定したり、固定手段を解くことによって容易に着脱することができる。
【００１４】
以上のような本発明の第一実施形態に係る分煙装置によれば、分煙ボード３の上部に設けた吸気部１の軸流ファン５０が、吸気口４の周辺に漂うタバコの煙を当該吸気口４から吸い込み、排気口５から上方へ排出することができる。
これにより、分煙ボード３の上部において、タバコの煙が分煙ボード３に沿って下方から上方へ向かう気流を生じさせることができる。
このため、分煙ボード３の上部近傍に滞留するタバコの煙も、吸気部１が吸い込んで上方へ排出させることができる。
したがって、本実施形態の分煙装置によれば、遊技者が喫煙したタバコの煙を分煙ボード３により隣の遊技者の遊技空間に流れにくくするだけでなく、分煙ボード３に遮られることで当該分煙ボード３の近傍に漂うタバコの煙を効率よく遊技空間の外部に排出させることができる。
このようにすると、例えば、遊技場の天井等、遊技機１００の上方に換気手段を設けている場合は、吸気部１から排出されたタバコの煙を効率よく換気することができ、遊技場における快適な空気調和が可能となる。
【００１５】
また、本実施形態の分煙装置は、吸気部１を分煙ボード３に着脱可能に取り付けることができるため、施工性及び保守性に優れた効果を奏する。
【００１６】
さらに、本実施形態の分煙装置は、演出手段として機能させることもできる。
例えば、図１に示すように、分煙ボード３のボード取付部１１０側の側部断面に複数のＬＥＤ１２０（エッジライト）を設け、分煙ボード３を構成する透明板材の表面等に模様や情報を示す凹凸加工等を施す。
このようにすることで、ＬＥＤ１２０を発光させたときに、分煙ボード３内を伝播したＬＥＤ光が加工部分で反射、拡散等し、模様等（図１の「ＢＩＧ」参照）が浮かび上がるように発光表示させることができる。
【００１７】
［第二実施形態］
次に、本発明の第二実施形態に係る分煙装置について、図４〜図６を参照して説明する。
これらの図に示すように、本実施形態の分煙装置は、第一実施形態と同様に、隣り合う遊技機１００の間に取付けた分煙ボード３と、この分煙ボード３の上部に、周辺の空気を吸い込んで上方に排出する吸気部１と、を設けている。
ただし、図４〜図６に示すように、本実施形態の分煙装置は、上記構成に加え、分煙ボード３の下部に、周辺の空気を吸い込んで上方に排出する送風部２を設けている。
このため、以下、送風部２の構成、並びに吸気部１及び送風部２を備えた本実施形態の分煙装置の特徴について説明する。
【００１８】
送風部２は、分煙ボード３の下部に設けられた吸排気手段であり、吸気部１と同様、軸流ファン５０と、この軸流ファン５０を回転させるためのモーターを備えている。なお、本実施形態の送風部２は、軸流ファン５０とモーターとが一体となったファンモーターを用いている（図６参照）。
軸流ファン５０は、図６に示すように、筒状のケース２０の内部に、駆動軸の後方が下方になるように取り付けられている。
これにより、軸流ファン５０の回転によって、軸流ファン５０の下方から吸い込んだ空気が軸流ファン５０の上方に排出される。
【００１９】
ケース２０は、第一実施形態と同様、半筒状のケース上部２１及びケース下部２２と、半球状のケース端部２３とによって、組立て及び分解可能に構成されている。
ケース下部２２は、曲面が下側を向く態様で用いられ、当該曲面の弧に沿って帯状に開口された吸気口４が長手方向に亘って複数施されている。
ケース上部２１は、曲面が上側を向く態様で用いられ、当該曲面の中心部を凹状に凹ませたレール部３０を設けている。
レール部３０は、レール幅を分煙ボード３の厚みとほぼ同じサイズにしており、これによって、ケース２０を、分煙ボード３の下部に嵌合させて取り付けることができるようにしている。
ケース上部２１には、レール部３０の両側に、曲面の弧に沿って帯状に開口された吸気口４が長手方向に亘り複数施されている。
ケース２０は、ケース上部２１を図示しないネジなどの固定手段によりボード取付部１１０に固定することができ、また、ケース上部２１のレール部３０と分煙ボード３とを嵌合させた状態で上記固定手段により固定することができる。
また、図示は省略するが、レール部３０のレール幅を一定の範囲で可変可能としつつ、分煙ボード３を嵌合させた状態で、バネなどの付勢力によって分煙ボード３を保持する固定手段を用いることもできる。
送風部２は、このようにケース２０を固定したり、固定手段を解くことによって容易に着脱することができる。
【００２０】
このように、吸気部１と送風部２とを備えた本実施形態の分煙装置は、以下のような動作を行う。
まず、分煙ボード３の下部に設けられた送風部２が、軸流ファン５０の回転によって、分煙ボード３の近傍を含む吸気口４の周辺に漂うタバコの煙を当該吸気口４から吸い込み、排気口５から上方へ排出する。
これにより、分煙ボード３の下部において、タバコの煙が分煙ボード３に沿って下方から上方へ向かう第一の気流が生じる。
また、分煙ボード３の上部に設けられた吸気部１が、軸流ファン５０の回転によって、吸気口４の周辺に漂うタバコの煙を吸い込み、排気口５から上方へ排出する。
これにより、分煙ボード３の上部において、タバコの煙が分煙ボード３に沿って下方から上方へ向かう第二の気流が生じる。
このようにすると、送風部２による第一の気流により上昇させたタバコの煙を、吸気部１による第二の気流に乗せて吸気部１まで上昇させることができる。
このため、吸気部１は、当該吸気部１の吸気口４の周辺に漂うタバコの煙を吸い込むだけでなく、送風部２が吸い込んだ当該送風部２の吸気口４の周辺に漂うタバコの煙を吸い込んで、これらを排気口５から排出させることができる。
したがって、本発明の第二実施形態に係る分煙装置によれば、遊技空間内に漂うタバコの煙を、より多く吸い込ませ、遊技空間外に排出させることができる。
【００２１】
［第三実施形態］
次に、本発明の第三実施形態に係る分煙装置について、図７〜図９を参照して説明する。
これらの図に示すように、本実施形態の分煙装置は、第二実施形態と同様、隣り合う遊技機１００の間に取付けた分煙ボード３の上部及び下部に、周辺の空気を吸い込んで上方に排出する吸気部１及び送風部２を設けている。
ただし、本実施形態の分煙装置は、吸気部１や送風部２の形状等が、前述した実施形態とは異なる。
このため、以下、送風部２及び吸気部１の構成について説明する。
【００２２】
送風部２は、図８や図９に示すように、軸流ファン５０と、この軸流ファン５０を回転させるためのモーターとを備え、これらが、先細のケース２０の内部に取り付けられている。
具体的には、モーターと軸流ファン５０とが一体となったファンモーターが、軸方向の後方がボード取付部１１０側を向くように（軸方向の前方が遊技者側を向くように）して、ケース２０の内部に取り付けられている。
【００２３】
ケース２０は、ボード取付部１１０に取り付けられるケース基部２４と、先細のケース本体２５を組み合わせて形成される。
送風部２のケース２０は、上部中心部を凹状に凹ませたレール部３０を設けている。
レール部３０は、レール幅を分煙ボード３の厚みとほぼ同じサイズにしており、これによって、ケース２０を、分煙ボード３の下部に嵌合させて取り付けることができるようにしている。
また、送風部２のケース本体２５の上部には、レール部３０の縁部に沿って複数の細幅のスリットが排気口５として施されている。
これにより、ケース２０を、分煙ボード３の下部とレール部３０とを嵌合させて取り付けたときに、排気口５が、分煙ボード３から厚み方向にややはみ出しつつ、当該分煙ボード３の表面及び裏面に沿う方向（上方）を向くようにしている。
また、送風部２のケース本体２５には、側部に複数の円状の開口が吸気口４として施されている。
なお、ケース２０は、ケース基部２４を図示しないネジなどの固定手段によりボード取付部１１０に固定することができ、また、ケース本体２５のレール部３０と分煙ボード３とを嵌合させた状態で上記固定手段により固定することができる。
また、図示は省略するが、レール部３０のレール幅を一定の範囲で可変可能としつつ、分煙ボード３を嵌合させた状態で、バネなどの付勢力によって分煙ボード３を保持する固定手段を用いることもできる。
送風部２は、このようにケース２０を固定したり、固定手段を解くことによって容易に着脱することができる。
【００２４】
吸気部１は、図８や図９に示すように、遠心ファン５１と、この遠心ファン５１を回転させるためのモーターとを備える。
遠心ファン５１は、吸気方向と排気方向がほぼ直角の吸排気手段であり、本実施形態の吸気部１は、遠心ファン５１とモーターが一体となったシロッコファンが用いられている。
遠心ファン５１は、前述した送風部２のケース２０とほぼ同じ形状のケース２０の内部に取り付けられている。
具体的には、遠心ファン５１を、吸気方向がケース本体２５側を向き、排気方向が上方を向くようにして、ケース基部２４に取り付けている。
【００２５】
吸気部１のケース２０のケース本体２５には、下部に当たるレール部３０の縁部に沿って複数の細幅のスリットが吸気口４として施されている。
これにより、ケース２０を、分煙ボード３の上部とレール部３０とを嵌合させて取り付けたときに、吸気口４が、分煙ボード３から厚み方向にややはみ出しつつ、当該分煙ボード３の表面及び裏面に沿う方向（下方）を向くようにしている。
なお、吸気部１のケース２０は、送風部２のケース２０と同様の固定方法により分煙ボード３に固定することができる。
ケース２０の上部のボード取付部１１０側には、排気口５を設けている。具体的には、ケース基部２４とケース本体２５とを組み合わせることにより、ケース２０の内部と連通した角筒状の排気口５が形成される。
このため、遠心ファン５１を駆動させると、ケース２０の内部において、ケース本体２５からケース基部２４へ向かって空気が流れる気流が生じ、この気流によって、吸気部１の吸気口４の周辺の空気が吸い込まれてケース２０の内部に流入する。
ケース２０の内部に流入した空気は、前記気流とともに、遠心ファン５１まで運ばれ、排気口５から上方へ排出される。
【００２６】
このような構成の分煙装置によれば、以下の動作が行われる。
まず、分煙ボード３の下部に設けられた送風部２が、軸流ファン５０の回転によって、分煙ボード３の近傍を含む吸気口４の周辺に漂うタバコの煙を当該吸気口４から吸い込み、排気口５から上方へ排出する。
これにより、分煙ボード３の下部において、タバコの煙が分煙ボード３に沿って下方から上方へ向かう第一の気流が生じる。
また、分煙ボード３の上部に設けられた吸気部１が、遠心ファン５１の回転によって、吸気口４の周辺に漂うタバコの煙を吸い込み、排気口５から上方へ排出する。
これにより、分煙ボード３の上部において、タバコの煙が分煙ボード３に沿って下方から上方へ向かう第二の気流が生じる。
このようにすると、送風部２による第一の気流により上昇させたタバコの煙を、吸気部１による第二の気流に乗せて吸気部１まで上昇させることができる。
このため、吸気部１は、当該吸気部１の吸気口４の周辺に漂うタバコの煙を吸い込むだけでなく、送風部２が吸い込んだ当該送風部２の吸気口４の周辺に漂うタバコの煙を吸い込んで、これらを排気口５から排出させることができる。
したがって、本発明の第三実施形態に係る分煙装置によれば、遊技空間内に漂うタバコの煙を、より多く吸い込ませ、遊技空間外に排出させることができる。
【００２７】
また、本実施形態の分煙装置は、吸気部１及び送風部２の駆動機構をケース基部２４に取付け、吸気部１の排気口５をケース基部２４側に設けるようにしている。
つまり、分煙ボード３の根元近くに機構を集約させることで、遊技者側の部分を簡素化するようにしている。
これにより、本実施形態のようにケース２０を細くしたり、又は、短くすることができ、吸気部１や送風部２が、遊技者にとって邪魔になりにくくすることができる。
【００２８】
［第四実施形態］
次に、本発明の第四実施形態に係る分煙装置について、図１０〜図１２を参照して説明する。
これらの図に示すように、本実施形態の分煙装置は、第二実施形態と同様に、隣り合う遊技機１００の間に取付けた分煙ボード３と、分煙ボード３の上部及び下部に、周辺の空気を吸い込んで上方に排出する吸気部１及び送風部２及びを設けている。また、吸気部１及び送風部２には、第二実施形態と同様に軸流ファン５０が設けられている。
ただし、本実施形態の分煙装置は、分煙ボード３が２枚の板材３２からなり、板材３２と板材３２の間に空間Ｇを有する点で、第二実施形態とは異なる。
このため、以下、分煙ボード３及びこの分煙ボード３を備えた分煙装置の特徴について説明する。
【００２９】
図１１，図１２に示すように、本実施形態の分煙ボード３は、互いに平行する２枚の板材３２によって形成され、板材３２と板材３２が所定の間隔を空けて形成されることで空間Ｇを有する。
この分煙ボード３の上部には、ボード断面の形状に対応した吸気部１が取り付けられている。
吸気部１は、具体的には、ケース２０の下部が凸状に突出しており、この突出した部分がボード断面と同幅で、かつ、長手方向に沿って複数の開口が設けられている。送風部２のケース２０も同様の形状である。
【００３０】
このような構成からなる本実施形態の分煙装置によれば、以下の動作が行われる。
まず、分煙ボード３の下部に設けられた送風部２が、軸流ファン５０の回転によって、吸気口４の周辺に漂うタバコの煙を当該吸気口４から吸い込み、排気口５から上方へ排出する。
これにより、分煙ボード３の下部において、タバコの煙が空間Ｇ内を下方から上方へ向かう第一の気流が生じる。
また、分煙ボード３の上部に設けられた吸気部１が、軸流ファン５０の回転によって、吸気口４からタバコの煙を吸い込み、排気口５から上方へ排出する。
これにより、分煙ボード３の上部において、タバコの煙が空間Ｇ内を下方から上方へ向かう第二の気流が生じる。
そうすると、空間Ｇ内において、送風部２による第一の気流と、吸気部１による第二の気流とが相乗し、空間Ｇ内の全体に亘って下方から上方へ向かう強い気流を生じさせることができる。
【００３１】
ここで、図１０，図１１に示すように、分煙ボード３を形成する各板材に３２には、それぞれ複数の円状の貫通孔３１が施されている。
これにより、分煙ボード３の近傍に滞留するタバコの煙が上記気流に引き込まれて貫通孔３１から吸い込まれ、上記気流とともに空間Ｇ内を上昇する。
そして、空間Ｇを上昇して吸気部１に到達したタバコの煙は、吸気口４から吸い込まれ、排気口５から上方へ排出される。
このため、本実施形態の分煙装置によれば、送風部２が吸い込んだタバコの煙だけでなく、分煙ボード３の近傍に滞留するタバコの煙を遊技空間外に排出することができる。
【００３２】
また、本実施形態の分煙ボード３は、一方の板材３２の貫通孔３１と、他方の板材３２の貫通孔３１とが互いに重ならないように互い違いに配置している。
これにより、一方の板材３２の貫通孔３１から吸い込まれたタバコの煙が、空間Ｇをそのまま通過して、対向する他方の板材３２の貫通孔３１から漏れ出しにくく、タバコの煙を無駄なく排出させることができる。
なお、各板材３２の貫通孔３１を、このように互い違いに配置せず、一部又は全部が重なるようにすることもできる。
この場合でも、空間Ｇ内を上昇する気流によって、分煙ボード３の近傍に滞留するタバコの煙を貫通孔３１から吸い込ませることができ、吸い込んだタバコの煙を上記気流とともに上昇させて吸気部１により排出させることができる。
【００３３】
また、分煙ボード３は、互いに平行する３枚以上の板材３２により形成することもできる。
例えば、３枚の板材３２により形成された分煙ボード３によれば、一方の外側の板材３２の貫通孔３１から吸い込まれたタバコの煙が、当該一方の外側の板材３２と中央の板材３２との間の空間Ｇを上昇し、他方の外側の板材３２の貫通孔３１から吸い込まれたタバコの煙が、当該他方の外側の板材３２と中央の板材３２との間の空間Ｇを上昇し、これらが吸気部１により吸い込まれて上方へ排出される。
この場合、中央の板材３２には、貫通孔３１を施さないようにすることが好ましい。
このようにすると、一方の板材３２の貫通孔３１から吸い込まれたタバコの煙が中央の板材３２を通過することがないため、他方の板材３２の貫通孔３１から漏れ出ることを防ぐことができる。
また、このようにすると、一方の板材３２の貫通孔３１と、他方の板材３２の貫通孔３１とを互い違いに配置せずとも、タバコの煙が貫通孔３１から漏れ出ることを防ぐことができる。
【００３４】
また、図１２に示すように、本実施形態の吸気部１は、円筒状のケース本体２５とケース端部２３により、組立て及び分解可能に構成される。送風部２も同様の構成である。
このため、本実施形態の分煙装置によれば、吸気部１及び送風部２を分煙ボード３に着脱可能に取り付けることができる。
【００３５】
［第五実施形態］
次に、本発明の第五実施形態に係る分煙装置について、図１３〜図１５を参照して説明する。
本実施形態の分煙装置は、第三実施形態の特徴と第四実施形態の特徴とを組み合わせた分煙装置である。
【００３６】
これらの図に示すように、本実施形態の分煙装置は、第四実施形態の特徴的な構成として、二枚の板材３２により内部に空間Ｇを有する分煙ボード３を備えている。
また、本実施形態の分煙装置は、第三実施形態の特徴的な構成として、先細のケース２０からなる吸気部１を備えている。
このような構成の分煙装置によれば、分煙ボード３の上部に設けた吸気部１が吸気口４から空気を吸い込み、分煙ボード３の内部の空間Ｇに下方から上方へ向かう気流を生じさせる。
これにより、分煙ボード３の近傍に滞留するタバコの煙が貫通孔３１から吸い込まれて前記気流とともに上昇し、吸気部１の吸気口４から吸い込まれ、排気口５から上方へ排出される。
【００３７】
また、本実施形態の分煙装置は、吸気部１の駆動機構や排気口５をボード取付部１１側に集約し、遊技者側の構造を簡素化した先細のケース２０を採用するようにしている。
これにより、吸気部１を、遊技者にとって邪魔になりにくくすることができる。
以上のように、本実施形態の分煙装置によれば、第四実施形態と第三実施形態のそれぞれの特徴的な構成を備えることで、それぞれの効果をともに奏することができる。
【００３８】
なお、本実施形態の分煙装置は、第三実施形態と第四実施形態を組み合わせた例について説明したが、第一〜第四実施形態の構成を任意に組み合わせることができる。
例えば、吸気部１のみ（第一実施形態）又は吸気部１と送風部２を設ける（第二〜第四実施形態）構成、分煙ボード３が複数の板材３２からなり空間Ｇを備える構成（第四実施形態）、駆動機構や排気口５をボード取付部１１０側に設ける構成（第三実施形態）のうち、いずれの構成をどのように組み合わせても本発明の分煙装置を構成することができる。
【００３９】
［アタッチメント］
ところで、分煙ボード３は、図１〜図１５に示すように、吸気部１や送風部２を水平な状態で取り付ける必要がため、上辺や下辺が水平な形状の板材３２を用いて形成されている。
ただし、上辺や下辺が水平でない板材であっても、以下に説明するアタッチメントｔを取り付けることで分煙ボード３として機能させることができる。
以下、このアタッチメントｔについて説明する。
【００４０】
アタッチメントｔは、ゴムやプラスチック（樹脂）によって形成され、図１６（ｉ）の正面図に示すように、正面の幅が吸気部１や送風部２のケース２０の長さとほぼ同じサイズに形成されている。
また、図１６（ｉ）の断面図に示すように、アタッチメントｔは、上部にケース２０のレール部３０のレール幅と同じ幅の凸部を備え、下部に板材３２の厚みとほぼ同じ幅で、かつ一定の深さを有する凹部を備える。
これにより、凸部は、吸気部１や送風部２のケース２０と嵌合可能であり、凸部は、板材３２を挟み込むようにして嵌合することができる。
【００４１】
このため、例えば、図１６（ii）に示すように、上辺が斜行する板材３２に対しても、アタッチメントｔの凹部を面で嵌合させることができる。
すなわち、板材３２の上部の広い領域（図中の斜線で示す部分）がアタッチメントｔの凹部の内部面により保持される。
そして、アタッチメントｔを、水平にした状態で、この領域をネジなどの固定手段により固定する。
そうすると、水平に固定されたアタッチメントｔに対し、その上部の凸部にケース２０を取り付けることができ、これにより、吸気部１や送風部２を水平な状態で安定的に固定することができる。
このように、アタッチメントｔによれば、様々な形状の板材３２を本発明の分煙装置の分煙ボード３に汎用的に用いることができる。
例えば、遊技場の既設の分煙ボードや既製品として流通している様々な形状の板材を、本発明の分煙装置の分煙ボード３に用いることができる。
【００４２】
以上説明したように、本発明の遊技場用分煙装置によれば、隣り合う遊技機１００の間に取付けられた板状の分煙ボード３と、この分煙ボード３の上部に、周辺の空気を吸い込んで所定の方向に排出する吸気部１と、を設けるようにしている。
これにより、遊技空間内に漂うタバコの煙を遊技空間外に効果的に排出させることができる。
このため、遊技者の喫煙によるタバコの煙に対する分煙効果を高めることができる。
【００４３】
一方、特許文献１に開示されているような従来の分煙方法においては、単に隣り合う遊技機１００の間にパーテーションを取り付けているだけであるため、分煙の効果を高めることができない問題があった。
【００４４】
本発明の遊技場用分煙装置によれば、従来の分煙方法が改善すべきこのような課題の全部又は一部などを解決することができる。
【００４５】
以上、本発明について、好ましい実施形態を示して説明したが、本発明に係る遊技場用分煙装置は、上述した実施形態にのみ限定されるものではなく、本発明の範囲で種々の変更実施が可能であることは言うまでもない。
例えば、図１７に示すように、遊技機１００の上方に所定の送風装置を設け、中央から左右に流れる気流を発生させることができる。
このようにすると、遊技空間の中ほどに滞留するタバコの煙を吸気部１の周辺に流し、これを吸気部１によって吸い込ませて上方へ排出させることができる。
これにより、分煙効果をより一層高めることができる。
また、隣接する分煙ボード３と分煙ボード３との間をロールスクリーン等により仕切ることによって、遊技空間をより独立した空間にすることができる。
このようにすると、遊技者の後方が仕切られるため、遊技者の後方からのタバコの煙の流出を防ぐことができる。
また、上記送風装置と組み合わせることで、遊技空間の全体に対流を生じさせつつ、遊技空間全体に滞留するタバコの煙を吸気部１により直接、又は、送風部２を介して吸気部１により上方へ排出させることができる。
また、吸気部１や送風部２にＬＥＤ１２０などの照明装置を備え、分煙ボード３に対し装飾光を照射する構成であってもよい。このようにすると、第一実施形態と同様に、遊技機１００の遊技状態に応じてＬＥＤ１２０の点灯制御を行う演出表示を行うことができる。
また、吸気部１や送風部２に、図示しない液晶ディスプレイや有機ＥＬなどの表示手段を設け、遊技情報を表示させることもできる。
【符号の説明】
【００４６】
１  吸気部
２  送風部
３  分煙ボード
３１  貫通孔
３２  板材
４  吸気口
５  排気口
２０  ケース
５０  軸流ファン
５１  遠心ファン
１２０  ＬＥＤ
ｆ  気流
ｔ  アタッチメント
Ｇ  空間
【図１】
0006539863.tif 000002
【図２】
0006539863.tif 000003
【図３】
0006539863.tif 000004
【図４】
0006539863.tif 000005
【図５】
0006539863.tif 000006
【図６】
0006539863.tif 000007
【図７】
0006539863.tif 000008
【図８】
0006539863.tif 000009
【図９】
0006539863.tif 000010
【図１０】
0006539863.tif 000011
【図１１】
0006539863.tif 000012
【図１２】
0006539863.tif 000013
【図１３】
0006539863.tif 000014
【図１４】
0006539863.tif 000015
【図１５】
0006539863.tif 000016
【図１６】
0006539863.tif 000017
【図１７】
0006539863.tif 000018